(57)【要約】【課題】  専用の機器を設けることなく、かつ、ＩＤやパスワードを新たに管理することなく認証機能を利用できるようにする。【解決手段】  パソコン１から通信を行う前に携帯電話１６ａから、モデム２が繋がっている加入者回線３の電話番号に発呼すると、携帯電話１６ａの電話番号が発信者電話番号としてモデム２に送信される。すると、認証機能部１０の発信者電話番号検出部１がその発信者電話番号を検出して比較部１３に通知する。比較部３は、記憶部１２に予め記憶されている電話番号と発信者電話番号とを比較して、両者が一致しているときは、リレー１４をＯＮさせて、パソコン１を電話回線網４に接続する。【選択図】      図２
2005252524.tif 000002
【特許請求の範囲】
【請求項１】
電話回線網に接続されて、自己と対をなすデータ端末装置のデータを送信すると共に相手側のデータ端末装置のデータを受信するためのデータ回線終端装置であって、
使用を制限するための認証機能を持ち、認証された場合のみ、前記対をなすデータ端末装置を用いてデータ通信できる構成になされていることを特徴とする認証機能付きデータ回線終端装置。
【請求項２】
前記認証機能として、外部からの発呼時、発信者電話番号に基づいて、前記データ通信の実行可否を決定する構成になされていることを特徴とする請求項１記載の認証機能付きデータ回線終端装置。
【請求項３】
前記認証機能は、
認証用電話番号として所定の電話番号を予め記憶する記憶手段と、
外部からの発呼時、発信者電話番号を検出する発信者電話番号検出手段と、
該発信者電話番号検出手段で検出された前記発信者電話番号と前記記憶手段に記憶されている前記認証用電話番号とを比較して認証を行う比較手段と、
該比較手段による認証の結果、前記発信者電話番号と前記認証用電話番号とが一致したときは、前記データ端末装置と前記電話回線網と間の通信路を切断状態から接続状態に切り替える切替え手段と
を備えてなることを特徴とする請求項２記載の認証機能付きデータ回線終端装置。
【請求項４】
前記認証機能は、
認証用電話番号として所定の携帯電話の電話番号を予め記憶する記憶手段と、
外部からの発呼時、発信者電話番号を検出する発信者電話番号検出手段と、
該発信者電話番号検出手段で検出された前記発信者電話番号と前記記憶手段に記憶されている前記認証用電話番号とを比較して認証を行う比較手段と、
該比較手段による認証の結果、前記発信者電話番号と前記認証用電話番号とが一致したときは、前記データ端末装置と前記電話回線網と間の通信路を切断状態から接続状態に切り替える切替え手段と
を備えてなることを特徴とする請求項２記載の認証機能付きデータ回線終端装置。
【請求項５】
前記認証機能は、
認証用電話番号として所定の複数の電話番号を予め記憶する記憶手段と、
外部からの発呼時、発信者電話番号を検出する発信者電話番号検出手段と、
該発信者電話番号検出手段で検出された前記発信者電話番号と前記記憶手段に記憶されている前記認証用電話番号とを比較して認証を行う比較手段と、
該比較手段による認証の結果、前記発信者電話番号と複数の前記認証用電話番号のうちの任意の１つが一致したときは、前記データ端末装置と前記電話回線網と間の通信路を切断状態から接続状態に切り替える切替え手段と
を備えてなることを特徴とする請求項２記載の認証機能付きデータ回線終端装置。
【請求項６】
前記認証機能は、
認証用電話番号として所定の複数の携帯電話の電話番号を予め記憶する記憶手段と、
外部からの発呼時、発信者電話番号を検出する発信者電話番号検出手段と、
該発信者電話番号検出手段で検出された前記発信者電話番号と前記記憶手段に記憶されている前記認証用電話番号とを比較して認証を行う比較手段と、
該比較手段による認証の結果、前記発信者電話番号と複数の前記認証用電話番号のうちの任意の１つが一致したときは、前記データ端末装置と前記電話回線網と間の通信路を切断状態から接続状態に切り替える切替え手段と
を備えてなることを特徴とする請求項２記載の認証機能付きデータ回線終端装置。
【請求項７】
前記切替え手段による通信路の接続／切断に対応して点灯／消灯を行う表示手段が付加されていることを特徴とする請求項３又は４記載の認証機能付きデータ回線終端装置。
【請求項８】
前記データ回線終端装置は、データ端末装置のデータを変復調して電話回線網との間でモデム通信を行うモデムからなることを特徴とする請求項１乃至６の何れか１つに記載の認証機能付きデータ回線終端装置。
【請求項９】
認証された場合のみ、電話回線網を介してデータ端末装置間でデータ通信を行うことを許すデータ通信における認証方法であって、
認証用電話番号として所定の電話番号を予め記憶させる第１の手順と、
外部の電話機から当該データ端末装置を発呼する第２の手順と、
外部からの発呼時、発信者電話番号を検出し、検出された前記発信者電話番号と前記記憶手段に記憶した前記認証用電話番号とを比較して認証を行う第３の手順と、
認証の結果、前記発信者電話番号と前記認証用電話番号とが一致したときは、前記データ端末装置と前記電話回線網と間の通信路を切断状態から接続状態に切り替える第４の手順と
を有してなることを特徴とするデータ通信における認証方法。
【請求項１０】
認証された場合のみ、電話回線網を介してデータ端末装置間でデータ通信を行うことを許すデータ通信における認証方法であって、
認証用電話番号として所定の複数の電話番号を予め記憶させる第１の手順と、
外部の電話機から当該データ端末装置を発呼する第２の手順と、
外部からの発呼時、発信者電話番号を検出し、検出された前記発信者電話番号と前記記憶手段に記憶した前記認証用電話番号とを比較して認証を行う第３の手順と、
認証の結果、前記発信者電話番号と複数の前記認証用電話番号のうちの任意の１つが一致したときは、前記データ端末装置と前記電話回線網と間の通信路を切断状態から接続状態に切り替える第４の手順と
を有してなることを特徴とするデータ通信における認証方法。
【発明の詳細な説明】
【技術分野】
【０００１】
この発明は、電話回線網に接続されて、自己と対をなすデータ端末装置のデータを送信すると共に相手側のデータ端末装置のデータを受信するための認証機能付きデータ回線終端装置及びデータ通信における認証方法に係り、詳しくは、コンピュータからネットワークへ通信接続するときにその正当性を確認してデータ通信処理を行う認証機能付きデータ回線終端装置及びデータ通信における認証方法に関する。
【背景技術】
【０００２】
通常、電話回線を通じてネットワーク上でデータ通信を行うコンピュータは、モデム（Modem：Modulator/Demodulator）を介して電話回線などからネットワーク網に接続されている。図５は、従来のモデムを使用したときのパーソナル・コンピュータによるモデム通信システムの構成図である。モデム２２には、通信用のデータを変復調してモデム通信を行うためのモデム回路２９が構成されており、このモデム回路２９にはモデム通信の制御を行うためのＮＣＵ（Network Control Unit：通信制御機器）が含まれている。データ端末装置（ＤＴＥ：Data Terminal Equipment）であるパーソナル・コンピュータ（以下、パソコンと云う）２１とモデム２２に内蔵されたモデム回路２９との間は、命令／データの送受信を行うＤＴＥインタフェース２７によって接続されている。さらに、モデム回路２９からモデム２２のジャック・コネクタ２８を経由して加入者回線２３に接続され、加入者回線２３から電話回線網２４を介してプロバイダ２５に接続されている。このようなネットワーク構成のモデム通信システムにおいては、モデム回路２９が加入者回線２３に常時接続されたままであるため、モデム２２がＤＴＥインタフェース２７を経由してパソコン２１からのダイアルアップ接続の命令を受けると、モデム回路２９は、いつでもプロバイダ２５の電話番号にダイヤル発呼して電話回線網２４へ接続してモデム通信を行うことができる。
【０００３】
このようなモデム通信の接続機能を有するモデム２２を使用した場合、そのモデム２２に接続されたパソコン２１のセキュリティ機能が有効に作用していてパソコン２２が自由に使用できない状態のときは、モデム２２を介したモデム通信も自由にはできないようになっている。しかし、パソコン２１のセキュリテイ機能が解除されてパソコン２１が自由に使用できる状態になっていれば、パソコン２１からモデム２２を介して電話回線網２４に接続して容易にモデム通信を行うことができる。そのため、パソコン２１のセキュリテイ機能が解除されていれば、第三者がパソコン２１を使用してモデム２２に接続し、電話回線網２４を介して高額料金のかかる国際電話や有料回線などへ接続してしまうこともできる。あるいは、第三者の不正かつ悪質なアクセスによって、パソコン２１が電話回線網２４からインターネット経由でウイルスに感染してしまうおそれもある。
【０００４】
そこで、このような第三者による不正なアクセスをなくすために、発信者の電話番号がＰＯＳ（Point Of Sales）システムの承認電話番号テーブルに設定されている電話番号と一致したときのみ通信接続を行う技術が開示されている（特許文献１参照）。また、着信基地装置が、発信者のユーザ名、パスワード、発信者電話番号と予め登録されている情報とを比較して、両者が一致する場合のみ通信回路を接続する技術も開示されている（特許文献２参照）。さらに、受信手段が、外部通信手段により通知された番号と予め記憶されている番号とが一致している通信データのみを取り込み、その通信データの発信者を特定することによって通信データの信頼性を高める技術も開示されている（特許文献３参照）。このようにして、発信者の電話番号などと予め登録されている電話番号などの一致／不一致を確認してモデム通信の可否を決定することにより、第三者の不正アクセスによって発生する不本意な課金やウイルスの感染などを防止することができる。
【特許文献１】特開２００２−１６５００６号公報（段落番号００１０〜００２６、及び図１〜図６参照）
【特許文献２】特開平１１−２７７５０号公報（段落番号００２６〜００４６、及び図１〜図４参照）
【特許文献３】特開平１１−１４３９４６号公報（段落番号００１０〜００２８、及び図１〜図４参照）
【発明の開示】
【発明が解決しようとする課題】
【０００５】
しかしながら、上記従来の技術では、パソコンなどのＤＥＴのセキュリテイ機能が解除されていてパソコンなどが自由に使用できる状態になっても、電話番号やＩＤやパスワードなどによって一定の認証を行うことにより、電話回線網に接続してモデム通信を行えないようにすることは可能であるが、モデム通信の可否を決定するための認証機能が複雑になってしまう。つまり、電話番号、ＩＤ、パスワードなどの認証手段を用いることにより、第三者によるパソコンの不正な使用によって国際電話や有料回線などへ接続されて高額料金が請求されたり、インターネットの接続によるパソコンのウイルス感染などを防止することはできるが、認証機能を有効に利用するためには、その認証機能を実現するために専用に電話番号、ＩＤ、あるいはパスワードなどを個別に管理しなければならないので、認証管理を行うためのシステムがかなり複雑になってしまう。また、認証機能として指紋認証や磁気カードなどを利用することもできるが、指紋認証や磁気カードなどによって認証を行う場合は専用の認証機器が必要となるので、結果的にパソコンの周辺機器やモデム自体が高価なものとなってしまう。
【０００６】
この発明は、上述の事情に鑑みてなされたものであり、認証機能を実現するために専用の機器を設けることなく、かつ、認証機能用の電話番号やＩＤやパスワードを新たに管理することなく、確実に認証を行うことができる認証機能付きデータ回線終端装置及びデータ通信における認証方法を提供することを目的とする。
【課題を解決するための手段】
【０００７】
上記の課題を解決するために、請求項１記載の発明は、電話回線網に接続されて、自己と対をなすデータ端末装置のデータを送信すると共に相手側のデータ端末装置のデータを受信するためのデータ回線終端装置に係り、使用を制限するための認証機能を持ち、認証された場合のみ、前記対をなすデータ端末装置を用いてデータ通信できる構成になされていることを特徴としている。
また、請求項２記載の発明は、請求項１記載の認証機能付きデータ回線終端装置に係り、前記認証機能として、外部からの発呼時、発信者電話番号に基づいて、前記データ通信の実行可否を決定する構成になされていることを特徴としている。
【０００８】
また、請求項３記載の発明は、請求項２記載の認証機能付きデータ回線終端装置に係り、前記認証機能は、認証用電話番号として所定の電話番号を予め記憶する記憶手段と、外部からの発呼時、発信者電話番号を検出する発信者電話番号検出手段と、該発信者電話番号検出手段で検出された前記発信者電話番号と前記記憶手段に記憶されている前記認証用電話番号とを比較して認証を行う比較手段と、該比較手段による認証の結果、前記発信者電話番号と前記認証用電話番号とが一致したときは、前記データ端末装置と前記電話回線網と間の通信路を切断状態から接続状態に切り替える切替え手段とを備えてなることを特徴としている。
【０００９】
また、請求項４記載の発明は、請求項２記載の認証機能付きデータ回線終端装置に係り、前記認証機能は、認証用電話番号として所定の携帯電話の電話番号を予め記憶する記憶手段と、外部からの発呼時、発信者電話番号を検出する発信者電話番号検出手段と、該発信者電話番号検出手段で検出された前記発信者電話番号と前記記憶手段に記憶されている前記認証用電話番号とを比較して認証を行う比較手段と、該比較手段による認証の結果、前記発信者電話番号と前記認証用電話番号とが一致したときは、前記データ端末装置と前記電話回線網と間の通信路を切断状態から接続状態に切り替える切替え手段とを備えてなることを特徴としている。
【００１０】
また、請求項５記載の発明は、請求項２記載の認証機能付きデータ回線終端装置に係り、前記認証機能は、認証用電話番号として所定の複数の電話番号を予め記憶する記憶手段と、外部からの発呼時、発信者電話番号を検出する発信者電話番号検出手段と、該発信者電話番号検出手段で検出された前記発信者電話番号と前記記憶手段に記憶されている前記認証用電話番号とを比較して認証を行う比較手段と、該比較手段による認証の結果、前記発信者電話番号と複数の前記認証用電話番号のうちの任意の１つが一致したときは、前記データ端末装置と前記電話回線網と間の通信路を切断状態から接続状態に切り替える切替え手段とを備えてなることを特徴としている
【００１１】
また、請求項６記載の発明は、請求項２記載の認証機能付きデータ回線終端装置に係り、前記認証機能は、認証用電話番号として所定の複数の携帯電話の電話番号を予め記憶する記憶手段と、外部からの発呼時、発信者電話番号を検出する発信者電話番号検出手段と、該発信者電話番号検出手段で検出された前記発信者電話番号と前記記憶手段に記憶されている前記認証用電話番号とを比較して認証を行う比較手段と、該比較手段による認証の結果、前記発信者電話番号と複数の前記認証用電話番号のうちの任意の１つが一致したときは、前記データ端末装置と前記電話回線網と間の通信路を切断状態から接続状態に切り替える切替え手段とを備えてなることを特徴としている。
【００１２】
また、請求項７記載の発明は、請求項３又は４記載の認証機能付きデータ回線終端装置に係り、前記切替え手段による通信路の接続／切断に対応して点灯／消灯を行う表示手段が付加されていることを特徴としている。
また、請求項８記載の発明は、請求項１乃至６の何れか１つに記載の認証機能付きデータ回線終端装置に係り、前記データ回線終端装置は、データ端末装置のデータを変復調して電話回線網との間でモデム通信を行うモデムからなることを特徴としている。
【００１３】
また、請求項９記載の発明は、データ通信における認証方法に係り、認証された場合のみ、電話回線網を介してデータ端末装置間でデータ通信を行うことを許すデータ通信における認証方法に係り、認証用電話番号として所定の電話番号を予め記憶させる第１の手順と、外部の電話機から当該データ端末装置を発呼する第２の手順と、外部からの発呼時、発信者電話番号を検出し、検出された前記発信者電話番号と前記記憶手段に記憶した前記認証用電話番号とを比較して認証を行う第３の手順と、認証の結果、前記発信者電話番号と前記認証用電話番号とが一致したときは、前記データ端末装置と前記電話回線網と間の通信路を切断状態から接続状態に切り替える第４の手順とを有してなることを特徴としている。
また、請求項１０記載の発明は、データ通信における認証方法に係り、認証された場合のみ、電話回線網を介してデータ端末装置間でデータ通信を行うことを許すデータ通信における認証方法に係り、認証用電話番号として所定の複数の電話番号を予め記憶させる第１の手順と、外部の電話機から当該データ端末装置を発呼する第２の手順と、外部からの発呼時、発信者電話番号を検出し、検出された前記発信者電話番号と前記記憶手段に記憶した前記認証用電話番号とを比較して認証を行う第３の手順と、認証の結果、前記発信者電話番号と複数の前記認証用電話番号のうちの任意の１つが一致したときは、前記データ端末装置と前記電話回線網と間の通信路を切断状態から接続状態に切り替える第４の手順とを有してなることを特徴としている。
【発明の効果】
【００１４】
この発明の構成によれば、データ回線終端装置（以下、モデムという）自身が自己の使用を制限するための認証機能を備えていて、認証されない場合には、モデムに接続されたパソコンなどはネットワーク上でモデム通信を行うことができないようになっている。したがって、パソコンなどのデータ端末装置（ＤＴＥ）のセキュリテイ機能が解除されて、パソコンなどが自由に使用できる状態になっても、モデムの認証機能によって第三者が無断でプロバイダに発呼してネットワーク上でモデム通信を行うことを防止することができる。また、各電話機の電話番号はユニークである点に着目して発信者電話番号を利用して認証を行っているため、認証機能用のＩＤやパスワードを新たに管理することなく、ユーザが電話機（発信者電話番号）を使用して発呼するだけでモデムの使用を制限するための認証機能を有効に活用することができる。
【発明を実施するための最良の形態】
【００１５】
まず、理解を容易にするためにこの発明におけるモデムの概要について説明する。この発明のモデムは、パソコンなどによって通信を行おうとするときにネットワーク網への接続を制限するための認証機能を備えた認証機能付きモデムである。つまり、加入者回線から電話回線網に接続されるモデムが、パソコンなどによるモデム通信の接続を制限するための認証機能を持っていて、所定の認証が行われた場合のみパソコンによるモデム通信の接続を許可する。このとき、所定の認証としては、電話番号が電話機ごとにユニークである点を利用して、モデムに対して電話番号による認証機能を持たせることによって、予め登録した電話番号とモデムが受信した電話番号とが一致した場合にのみモデム通信の接続を許可する。言い換えれば、この発明のモデムは、自己が備える認証機能として、電話回線網を介して受信する発信者電話番号を利用して通信路を接続するための認証を行い、認証されたときにパソコンなどからプロバイダへのダイアルアップ接続命令を出すことによって電話回線網への通信接続を行うことを特徴としている。
【００１６】
最初に、この発明のモデムによって実現されるモデム通信システムについて説明する。図１は、この発明におけるモデム通信システムの概念図である。まず、図１に示すモデム通信システムの構成について説明する。パソコン１から認証機能を搭載したモデム２に接続され、さらに、モデム２から加入者回線３によって電話回線網４に接続されている。また、電話回線網４には、インターネットなどのネットワーク網６が接続されると共にネットワーク網６への接続サービスを行うプロバイダ５が接続されている。
【００１７】
次に、図１に示すモデム通信システムの動作について説明する。図１に示すモデム通信システムにおいて、モデム２は、パソコン１からダイアルアップ接続の命令を受けても、所定の認証（つまり、電話番号の一致による認証）によって正当性を認めなければ加入者回線３への接続を行わない。このため、パソコン１は認証の正当性が認められなければプロバイダ５の電話番号へアクセスすることもできないので、結果的には、電話回線網４を介してネットワーク網６へ接続することもできない。つまり、モデム２は電話番号による認証の正当性を認めたときのみ加入者回線３への接続を行うので、パソコン１は、モデムによって認証されたときにプロバイダ５にアクセスしてネットワーク網６へ接続し、所望の通信を行うことが可能となる。
【実施例１】
【００１８】
次に、図面を参照して、この発明の実施例１であるモデム及びこのモデムを用いたモデム通信システムについて説明する。図２は、この発明のモデムを使用した場合の実施例１におけるモデム通信システムの構成図である。まず、図２に示すモデム通信システムの構成について説明する。データ端末装置（ＤＴＥ）であるパソコン１から、命令／データの送受信を行うＤＴＥインタフェース２７を介してモデム２が接続されている。さらに、モデム２のジャック・コネクタ８を経由して加入者回線３に接続され、この加入者回線３から電話回線網４に接続されている。また、電話回線網４にはプロバイダ５が接続されていると共に、パソコン１のユーザが自由に操作することのできる携帯電話１６ａが通信接続できるようになっている。なお、図２では、電話回線網４に接続されるインターネットなどのネットワーク網は省略されている。
【００１９】
モデム２は、通信用のデータを変復調してモデム通信を行うためのモデム回路９と、電話番号の認証によって認証機能を実現させてモデム回路９を通信接続させるための認証機能部１０とを備えた構成となっている。なお、モデム回路９にはモデム通信の制御を行うためのＮＣＵ（通信制御機器）が含まれている。
【００２０】
また、認証機能を実現する認証機能部１０は、発信者電話番号を検出する発信者電話番号検出部（発信者電話番号検出手段）１１と、認証機能に利用する電話番号を予め記憶しておく記憶部（記憶手段）１２と、発信者電話番号検出部１１で検出された発信者電話番号と記憶部１２に記憶されている電話番号とを比較照合して認証を行う比較部（比較手段）１３と、比較部１３による認証結果に応じてモデム回路９と加入者回線３とを接続／切断するリレー（切替え手段）１４と、リレー１４の接続時に点灯しリレー４の切断時に消灯するＬＥＤ（表示手段）１５とを備えた構成となっている。
【００２１】
次に、図２に示すモデム通信システムの動作について説明するが、パソコン１がモデム２を介して行う通常のモデム通信の動作については周知の技術であるので省略し、以下の説明では、モデム２が、携帯電話１６ａの発呼した発信者電話番号と記憶部１２に記憶されている電話番号とによって認証を行う認証機能について詳細に説明する。
【００２２】
ユーザは、パソコン１を使用してモデム通信を行おうとするとき、携帯電話１６ａを使用してモデム２へ発呼すると、モデム２における認証機能部１０の比較部１３が、電話回線網４と加入者回線３を介して受信した携帯電話１６ａの発信者電話番号と記憶部１２に予め記憶されている電話番号とを比較照合する。そして、発信者電話番号と記憶部１２に記憶されている電話番号とが一致したときにリレー１４をＯＮ（つまり、接点ａと接点ｂとを接続）する。これによって、モデム回路９が加入電話回線３に接続されるので、パソコン１は、プロバイダ５にアクセスすることによって電話回線網４に対して通信を行うことができる。つまり、パソコン１は、電話回線網４に接続されているインターネットなどのネットワーク網６（図１参照）と通信を行うことができる。なお、リレー１４がＯＮとなったときにＬＥＤ１５が点灯するので、ユーザは、携帯電話１６ａを発呼した後にＬＥＤ１５の点灯状態を確認してパソコン１を操作することによって電話回線網４へ接続することができる。
【００２３】
次に、フローチャートを用いて図２に示すモデム通信システムの認証接続動作を説明する。図３は、図２に示すモデム通信システムにおいて、モデムが認証接続の動作を行うときの処理の流れを示すフローチャートである。したがって、図２及び図３を用いてモデムによる認証接続の処理の流れを説明する。
【００２４】
モデム２は、電源投入後の初期状態で認証機能が作用していないときはリレー１４がＯＦＦの状態（つまり、接点ａと接点ｂが開放している状態）であるので、モデム回路９と加入者回線３は切断されている状態にある。したがって、パソコン１が、電話回線網４に対して通信を行うために、ＤＴＥインタフェース７を経由してプロバイダ５にダイアルアップ接続するための命令信号をモデム回路９へ送信しようとしても、モデム回路９と電話回線網４とは接続されていないので、パソコン１からプロバイダ５へアクセスすることはできない。そこで、モデム２がモデム通信を実現させるためには、パソコン１が通信を行う前に、モデム２における認証機能部１０のリレー１４をＯＮさせて接点ａと接点ｂとを接続させ、モデム回路９と加入者回線３とを接続させておく必要がある。
【００２５】
そこで、モデム２が持つ認証機能部１０の認証機能を実現させるために、予め、記憶部１２に認証機能に利用するための電話番号を記憶させておく。このときの電話番号の記憶方法は、例えば、記憶部１２に不揮発性メモリを設け、パソコン１からＤＴＥインタフェース７を経由して、所望の電話番号をこの不揮発性メモリに書き込んで記憶させておく（ステップＳ１）。そして、ユーザがパソコン１のモデム通信を行う前に、ユーザは携帯電話１６ａから発信者電話番号通知のモードでモデム２が繋がっている加入者回線３の電話番号に発呼する。これによって、携帯電話１６ａの電話番号が発信者電話番号として、電話回線網４と加入者回線３を介してモデム２に送信される（ステップＳ２）。すると、モデム２における認証機能部１０の発信者電話番号検出部１が携帯電話１６ａの発信者電話番号を検出して比較部１３に通知する（ステップＳ３）。
【００２６】
次に、比較部３は、記憶部１２に記憶されている電話番号と発信者電話番号検出部１から通知された発信者電話番号とを比較照合して、両者の電話番号が一致しているか否かの判定を行う（ステップＳ４）。ここで、両者の電話番号が一致していない場合は（ステップＳ４でＮｏの場合）、ステップＳ２に戻って、携帯電話１６ａからの新たな発呼を待つ。
【００２７】
一方、記憶部１２に記憶されている電話番号と発信者電話番号検出部１から通知された発信者電話番号（つまり、携帯電話１６ａの電話番号）とが一致している場合は（ステップＳ４でＹｅｓの場合）、比較部１３がリレー１４をＯＮさせる信号を送出し、リレー１４の接点ａと接点ｂとをコンタクトさせてモデム回路９を加入者回線３に接続させる（ステップＳ５）。このとき、リレー４がＯＮすると同時にＬＥＤ１５が点灯するので(ステップＳ６)、ユーザはＬＥＤ１５の点灯を確認した後に携帯電話１６ａの発呼を切る（ステップＳ７）。ここで、呼び出しが鳴っている間に携帯電話１６ａを切るので通常の課金が行われることはない。
【００２８】
これによってモデム回路９が加入者回線３に接続されるため、モデム２は、ＤＴＥインタフェース７を経由してパソコン１からのダイアルアップ接続命令を受けたか否かを判断する（ステップＳ８）。ここで、モデム２は、まだ、パソコン１からのダイアルアップ接続命令を受けていなければ（ステップＳ８でＮｏの場合）、ダイアルアップ接続命令を受けるまで待つ。一方、パソコン１からのダイアルアップ接続命令を受けていれば（ステップＳ８でＹｅｓの場合）、モデム回路９は、パソコン１からのダイアルアップ接続命令に基づいてプロバイダ５の電話番号にダイヤル発呼する（ステップＳ９）。これによって、プロバイダ５が電話回線網４ヘの接続サービスを行うので、パソコン１は電話回線網４に接続してネットワーク網とデータ通信を行うことができる(ステップＳ１０)。
【実施例２】
【００２９】
上記の実施例１では、携帯電話を用いて発信者電話番号を発呼して電話番号による認証を受ける場合について説明したが、固定電話を用いて電話番号による認証を受けてもよい。図４は、この発明のモデムを使用した場合の実施例２におけるモデム通信システムの構成図である。図４に示すモデム通信システムが図２に示すモデム通信システムと異なるところは、携帯電話１６ａの代わりに固定電話１６ｂを用いたところのみである。したがって、モデム２の内部構成及び動作は実施例１の場合と同じであるので、重複する部分の説明は省略する。
【００３０】
図４において、ユーザがパソコン１を用いて電話回線網４と通信を行うときは、ユーザが固定電話１６ｂから発信者電話番号通知のモードでモデム２が繋がっている加入者回線３の電話番号に発呼する。これによって、固定電話１６ｂの電話番号が発信者電話番号として電話回線網４及び加入者回線３を介してモデム２に送信される。したがって、モデム２における認証機能部１０の比較部１３は、固定電話１６ｂの発信者電話番号と記憶部１２に記憶されている電話番号とによって認証を行うことができる。なお、発信者電話番号を用いて個人を特定するという点では、個人が所有していてプライベートに使用することができる携帯電話を使用した方が認証機能としては優れているので、一般的には携帯電話を用いることが望ましい。
【００３１】
以上、この発明の実施形態を図面により詳述してきたが、具体的な構成はこの実施形態に限られるものではなく、この発明の要旨を逸脱しない範囲の設計の変更などがあってもこの発明に含まれる。例えば、認証機能を備えるものとしては、モデムに限定されず、例えば、ターミナルアダプタでも良く、その他のデータ回線終端装置であっても良い。また、発呼に用いられる電話としては、携帯電話機に限らず、固定電話でも良く、他のデータ端末装置でも良い。
【００３２】
記憶部１２に記憶される認証用電話番号としては、特定の一つの電話番号に限らず、所定の複数の電話番号を予め記憶しておくようにしても良い。この場合、比較部１３による認証の結果、発信者電話番号と複数の認証用電話番号のうちの任意の１つが一致したときは、データ端末装置と記電話回線網と間の通信路が切断状態から接続状態に切り替えられる構成となる。
【産業上の利用可能性】
【００３３】
この発明のモデム及びモデム通信システムによれば、モデム自身が電話番号による認証機能を備えているので、モデム通信システムに複雑な認証機能を設けなくても、パソコンなどによって通信を行うユーザが携帯電話などから発呼し、モデムによって電話番号の認証を受けるだけで、自己が所有しているパソコンなどを容易にネットワーク網に接続させることができる。しかし、モデムは、第三者が発呼した任意の電話番号では認証を行わないので、パソコンなどをネットワーク網に接続させることはない。したがって、この発明のモデムは、パソコンなどによって個人認証を行いながら通信を行うときのネットワーク通信ステムに広く利用することができる。
【図面の簡単な説明】
【００３４】
【図１】この発明におけるモデム通信システムの概念図である。
【図２】この発明のモデムを使用した場合の実施例１におけるモデム通信システム構成図である。
【図３】図２に示すモデム通信システムにおいて、モデムが認証接続の動作を行うときの処理の流れを示すフローチャートである。
【図４】この発明のモデムを使用した場合の実施例２におけるモデム通信システムの構成図である。
【図５】従来のモデムを使用したときのパーソナル・コンピュータによるモデム通信システムの構成図である。
【符号の説明】
【００３５】
１      パソコン
２      モデム
３      加入者回線
４      電話回線網
５      プロバイダ
６      ネットワーク網
７      ＤＥＴインタフェース
８      ジャック・コネクタ
９      モデム回路（データ回線終端装置）
１０    認証機能部
１１    発信者電話番号検出部
１２    記憶部（記憶手段）
１３    比較部（比較手段）
１４    リレー
１５    ＬＥＤ
１６ａ  携帯電話
１６ｂ  固定電話
【図１】
2005252524.tif 000003
【図２】
2005252524.tif 000004
【図３】
2005252524.tif 000005
【図４】
2005252524.tif 000006
【図５】
2005252524.tif 000007